(57)【特許請求の範囲】
【請求項１】
電子機器等の左右両側に回転軸を設け、スタンド等の軸受部で軸受けして電子機器等を回動可能にするものにおいて、前記軸受部の外周に軸方向に平行な溝を所要の間隔で形成すると共に軸方向と直角に軸受孔に達する深さのスリットを形成し、前記回転軸の前記スリットに対応する位置にねじ孔を穿設し、弾性を有する部材で形成され前記軸受部の外形に対応させて弯曲し両端部を前記溝に歯合する形状にし前記スリットに対応する位置にねじを通す孔を穿設したカバーを設けてなり、カバーを軸受部に冠着し、両端部を溝に歯合させ、ねじを孔に挿通し、カバーを回転軸に締結するようにした電子機器の取付装置。
【請求項２】
前記軸受部の外周の溝を等角度間隔で形成し、電子機器等を等角度間隔で回動できるようにした請求項１記載の電子機器の取付装置。
【請求項３】
前記軸受部の外周の溝を連続させて形成するようにした請求項１記載の電子機器の取付装置。
【請求項４】
前記軸受部の外周の溝をＵ字形に形成すると共に前記カバーの両端部を前記溝に歯合するＵ字形に形成した請求項１、２または３記載の電子機器の取付装置。
【請求項５】
前記軸受部の外周の溝をＶ字形に形成すると共に前記カバーの両端部を前記溝に歯合するＶ字形に形成した請求項１、２または３記載の電子機器の取付装置。
【請求項６】
前記カバーを弾性を有する金属板により形成した請求項１、２、３、４または５記載の電子機器の取付装置。
【請求項７】
前記スリットの深さを、前記ねじが電子機器等の回動範囲の両端でスリットの端に接するように設定した請求項１、２、３、４、５または６記載の電子機器の取付装置。
【発明の詳細な説明】
【０００１】
【発明の属する技術分野】
本発明は電子機器の取付装置に係り、電子機器等を回動可能に取付け、回動した位置で回動を止められるものに関する。
【０００２】
【従来の技術】
電子機器等、例えば、ＰＤＰ（プラズマディスプレイパネル）あるいはＬＣＤ（液晶パネル）等を用いた表示装置を回動可能に取付ける場合、例えば、電子機器等の左右両側に回転軸を設け、この回転軸をスタンド等に回動可能に軸受けするようにしたものがある。電子機器等は角度を変えた位置で止まる必要があるが、このためには、例えば、回転軸と軸受けとの間にねじりコイルばねを取付け、回転方向のトルクが得られるようにする方法があるが、ねじりコイルばねは回転角度が大きくなるに従ってトルクが増大し、回転が元の方向に戻りやすいという問題があり、回転角度を一定に保つにはクラッチばねのロック摩擦力を利用した角度調整ロック機構を用いる方法があるが、この機構はコストが高いという問題がある。
【０００３】
【発明が解決しようとする課題】
本発明は、表示装置等の電子機器等の角度（向き）を変えられるように取付け、角度を変えた位置で回動を止められ、かつ、回動時にクリック感が得られるものを安価に構成できるようにすることを目的とする。
【０００４】
【課題を解決するための手段】
上記目的を達成するため、本発明の電子機器の取付装置においては、電子機器等の左右両側に回転軸を設け、スタンド等の軸受部で軸受けして電子機器等を回動可能にするものにおいて、軸受部の外周に軸方向に平行な溝を所要の間隔で形成すると共に軸方向と直角に軸受孔に達する深さのスリットを形成し、回転軸のスリットに対応する位置にねじ孔を穿設し、弾性を有する部材で形成され軸受部の外形に対応させて弯曲し両端部を軸受部の外周の溝に歯合する形状にしスリットに対応する位置にねじを通す孔を穿設したカバーを設け、軸受部にカバーを冠着し、両端部を溝に嵌め、孔にねじを挿通しカバーを回転軸に締結する。電子機器等を回動すればカバーの弾性で両端部が軸受部の溝から外れて隣の溝に移り、回動が止まる。
【０００５】
なお、軸受部の外周の溝を等角度間隔にし、電子機器等を等角度間隔で回動できるようにしてもよい。
【０００６】
また、軸受部の外周の溝をＵ字形若しくはＶ字形に形成すると共にカバーの両端部を軸受部の外周の溝に歯合するＵ字形若しくはＶ字形に形成することにより、カバーの端部が溝に嵌まり、機器の向きががたつかないようにする。
【０００７】
また、軸受部の外周のＵ字形若しくはＶ字形の溝を連続させて形成し、電子機器等の角度を連続的に可変できるようにする。
【０００８】
なお、カバーは適宜の厚さで適宜の弾性を有する金属板で形成し、電子機器等を適宜のトルクで回動できるようにする。
【０００９】
なお、軸受部のスリットの深さを適宜に設定し、回転軸に締結したねじの回動範囲がスリットの端で制限され、電子機器等が回動し過ぎないようにする。
【００１０】
【発明の実施の形態】
発明の実施の形態を実施例に基づき図面を参照して説明する。
図１は本発明による電子機器の取付装置の概要を示す要部斜視図である。図において、１は電子機器、例えば、ＰＤＰ等を用いた表示装置で、多数の人が出入する場所に設置されるタッチ操作式の案内装置等である。２はスタンドで、電子機器（以降、機器と略す）１の電源部および駆動部等を内設し、機器１の左右両側の回転軸を軸受けし、回動可能にする。
【００１１】
図２は本発明による電子機器の取付装置の一実施例の要部分解斜視図である。図の11は機器１の左右両側部に設けた回転軸、12はスタンドに設けた回転軸11を受ける軸受部、13はカバーである。軸受部12の外周に軸の方向に平行な溝14、例えば、Ｕ字形（またはＶ字形）の溝14を所要の間隔で形成する、あるいは図のように連続させて形成し、軸の方向と直角に軸受孔15に達する深さのスリット16を形成する。回転軸11の先端部17（軸受孔15に挿通する）に、軸受部12に挿通した位置でスリット16に対応する位置にねじ孔18を穿設する。カバー13は弾性を有する部材、例えば、適宜の厚さで適宜の弾性を有する金属板で形成し、軸受部12の外形に対応させて弯曲し、両端部19を軸受部12の溝14に歯合するＵ字形（またはＶ字形）に形成し、軸受部12に冠着した位置でスリット16に対応する位置にねじ21を通す孔20を穿設する。そして、回転軸11の先端部17を軸受部12の軸受孔15に挿通し、軸受部12にカバー13を冠着し、Ｕ字形（またはＶ字形）に形成した両端部19を軸受部12の外周の溝14に落とし込み、孔20にねじ21を挿通し、軸受部12のスリット16を通して回転軸11の先端部17のねじ孔18に締結する。
【００１２】
機器１の上端または下端を押して回動すれば、カバー13の弾性で両端部19が溝14から外れ、隣の溝14に移り、回動が止まり、更に回動すれば隣々接の溝14に移り、回動が止まる。回動時、両端部19が溝14に入る都度クリック感があるので回動が止まったことがわかる。なお、機器１の回動角度（ピッチ）は溝14のピッチで決まるので、例えば、溝14を等角度間隔で形成すれば機器１を等角度間隔で回動することができる。機器１がタッチ操作式の案内装置等で、例えば、機器１の正面が斜め上向きから正面向きまでの範囲を回動できるようにする場合、これ以上回動しないように制限する必要があり、このため、スリット16の深さ（前後方向の幅）を適宜に設定し、機器１を回動すればねじ21がスリット16の端で止まり、回転軸11の回動が止まるようにする。
【００１３】
【発明の効果】
以上に説明したように、本発明による電子機器の取付装置によれば、電子機器等は上端あるいは下端を押すことによりクリック感を持って回動し、離した位置（角度）で止まるもので、画面に軽く触れる程度では角度が変わらず、また、構造が簡単で部品点数が少なく、比較的安価に構成することができる。
【図面の簡単な説明】
【図１】本発明による電子機器の取付装置の概要を示す要部斜視図である。
【図２】本発明による電子機器の取付装置の一実施例の要部分解斜視図である。
【符号の説明】
１  電子機器（表示装置）
２  スタンド
11  回転軸
12  軸受部
13  カバー
14  溝
15  軸受孔
16  スリット
17  先端部
18  ねじ孔
19  両端部
20  孔
21  ねじ
【図１】
0003799771.tif 000002
【図２】
0003799771.tif 000003